(57)【要約】【課題】アンテナが電極の背面側に配置されながらも、外部機器と安定して通信を行うコンピュータを提供する。【解決手段】コンピュータは、ハウジングの開口にて表出する表面及び当該表面とは反対側の背面を有する電子装置(10)と、渦巻き形状の導体からなる少なくとも１つのアンテナ(37b)とを備える。電子装置(10)は、基板(32a，33a，34a)、及び、当該基板(32a，33a，34a)に形成され、当該基板(32a，33a，34a)の全面に渡って設けられた電極(32b，33b，33c，34b)を含み、アンテナ(37b)は、基板(32a，33a，34a)の厚さ方向でみて、電子装置(10)の背面と当該背面に対向するハウジング(20)の壁との間に位置し、アンテナ(37b)の一部は、基板(32a，33a，34a)の面内方向にて、基板(32a，33a，34a)の外縁よりも外側に位置している。【選択図】図４
2011004076.tif 000002
【特許請求の範囲】
【請求項１】
開口を有するハウジングと、
前記ハウジング内に収容され、前記ハウジングの開口にて表出する表面及び当該表面とは反対側の背面を有する電子装置と、
渦巻き形状の導体からなる少なくとも１つのアンテナとを備えるコンピュータにおいて、
前記電子装置は、基板、及び、当該基板の全面に渡って形成された電極を含み、
前記アンテナは、前記基板の厚さ方向でみて、前記電子装置の背面と当該背面に対向する前記ハウジングの壁との間に位置し、
前記アンテナの一部は、前記基板の面内方向にて、前記基板の外縁よりも外側に位置している
ことを特徴とするコンピュータ。
【請求項２】
請求項１に記載のコンピュータにおいて、
前記コンピュータは、相互に連結された本体と液晶ディスプレーとを有するラップトップ型であり、
前記本体が有する前記ハウジングの内側には、電磁的なノイズを遮蔽するシールド部材が設けられ、
前記シールド部材には、前記ハウジングの開口に連なる開口が形成され、
前記電子装置は、前記シールド部材の開口にて表出する感知面を有するタッチパッド入力装置である
ことを特徴とするコンピュータ。
【請求項３】
請求項２に記載のコンピュータにおいて、
前記タッチパッド入力装置の前記基板は矩形形状を有し、
前記アンテナの各巻きは略矩形形状を有し、
前記アンテナの各巻きにおいて１つの角にて相互に交わる２辺が、前記基板の外縁において１つの角にて相互に交わる２辺にそれぞれ沿いながら、前記基板の面内方向でみて、前記基板の外縁よりも外側に位置し、
前記アンテナの各巻きにおいて前記１つの角の対角が、前記基板の面内方向でみて、前記基板の外縁よりも内側に位置している
ことを特徴とするコンピュータ。
【請求項４】
請求項３に記載のコンピュータにおいて、
前記基板の外縁の４つの角に対応して４つの前記アンテナを有する
ことを特徴とするコンピュータ。
【請求項５】
請求項１乃至４の何れか一項に記載のコンピュータにおいて、
前記タッチパッド入力装置は、
前記シールド部材の開口にて表出する感知面を有するフェイスシートと、
前記感知面に沿って設けられ、静電容量を測定するための複数の測定領域を構成する電極群と、
前記感知面とは反対側にて前記電極群に沿わされた接地電極を含む接地電極層とを有し、
前記接地電極は複数の開口部を有する
ことを特徴とするコンピュータ。
【発明の詳細な説明】
【技術分野】
【０００１】
本発明は、アンテナを内蔵したコンピュータに関する。
【背景技術】
【０００２】
ラップトップコンピュータは、相互にヒンジ結合された本体とディスプレーとを有する。本体のヒンジ側（奥側）にはキーボードが配置され、本体の手前側にはタッチパッド入力装置が配置されている。タッチパッド入力装置の両側に位置するハウジングの部分はパームレストとして機能する。
【０００３】
本体のハウジングの内側にはシールド部材が設けられ、シールド部材の内側にマザーボード等の電子機器が配置されている。シールド部材は、本体内部の電子機器を覆うように設けられ、不要電磁波の放射又は入射を抑制している（ＥＭＩ対策）。
ただし、本体のハウジング及びシールド部材には、タッチパッド入力装置を配置するための開口部が設けられ、タッチパッド入力装置のフェイスシートは、開口部にて表出して感知面を構成する。
【０００４】
また、ラップトップコンピュータには、ＲＦＩＤ用のループアンテナが、パームレストを構成する本体のハウジングの内側に設けられているものがある。この種のコンピュータにおいては、ＲＦＩＤ用のループアンテナを遮蔽しないように、シールド部材にもう一つの開口部が設けられている。ループアンテナのためのシールド部材の開口部の大きさは、例えば、３０ｍｍ×３０ｍｍのループアンテナの大きさの１．５倍から２倍程度に設定される。
【０００５】
ここで、特許文献１は、タッチパッド入力装置として、アンテナ付きのタッチパッドモジュールを提案している。このタッチパッドモジュールでは、アンテナがシールド部材の開口部に配置されることで、アンテナを介して外部との通信が可能になるものと考えられている。
【０００６】
具体的には、特許文献１が開示するタッチパッドモジュールにおいては、保護リングがアンテナとして用いられる。また特許文献１によれば、アンテナは、タッチパッドのプリント回路基板に設けてもよい。そして、アンテナは、タッチパッドアレイ自体のために用いられる層の間の、またはその層に隣接する、個別のフレキシブル層に配置され得るとされている。
【先行技術文献】
【特許文献】
【０００７】
【特許文献１】特表２００２−５３９５１７号公報（段落番号０００６、００１４、００１６、００３３及び図３、５等。）
【発明の概要】
【発明が解決しようとする課題】
【０００８】
ＥＭＩ対策を考慮すれば、シールド部材に設ける開口部の数は少ない方が良い。このため、平面でみたときに、タッチパッド入力装置とアンテナとをシールド部材の一つの開口部に一緒に配置することも考えられる。この一例として、特許文献１が開示する保護リングのように、タッチパッドモジュールの外縁に沿ってＲＦＩＤ用のループアンテナを配置することが考えられる。
【０００９】
しかしながらこの場合、タッチパッドモジュールが大きくなるのに合わせて、アンテナも大きくする必要がある。通信相手である非接触ＩＣカード（ＲＦＩＤタグ）の大きさは８５．６×５４．０×０．７６ｍｍに規格化されているため、タッチパッドモジュールの大きさに合わせてアンテナの形状が変化すると、アンテナの感度が低下してしまう虞がある。
【００１０】
一方、タッチパッドモジュールの下にアンテナを配置することも考えられる。しかしながらこの場合、タッチパッドモジュールは、位置検出用の電極として、格子状の電極と、格子状の電極の下方に配置される面状の接地電極とを有するため、アンテナが発生させた電磁波は、面状の検出電極で反射若しくは吸収されてしまう。また、外部機器が発生させた電磁波も、面状の接地電極で反射若しくは吸収されてしまう。このため、アンテナが面状の検出電極の下方に配置されている場合、ＲＦＩＤタグ等の外部機器との通信は困難である。
【００１１】
また全く別の手段として、ディスプレーの内部にアンテナを内蔵させることも考えられる。しかしながら、ディスプレーを構成する液晶パネルも電極を有するため、液晶パネルの背面側にアンテナを配置した場合、ディスプレーの表示面側にＲＦＩＤタグ等の外部機器を位置付けたときに、外部機器との通信は困難である。
【００１２】
本発明は上述した事情に基づいてなされ、その目的とするところは、アンテナが電極の背面側若しくは下側に配置されながらも、外部機器と安定して通信を行うコンピュータを提供することにある。
【課題を解決するための手段】
【００１３】
本発明者らは、上記した課題を解決すべく種々検討を重ねた。本発明者らは、この検討の過程で、ＲＦＩＤ用のループアンテナがタッチパッド入力装置の下方に配置されていても、ループアンテナの少なくとも一部がタッチパッド入力装置の外縁からはみ出ていれば、ＲＦＩＤタグとの通信が可能になるとの知見を得た。また、ＲＦＩＤ用のループアンテナが液晶パネルの下方に配置されていても、ループアンテナの少なくとも一部が液晶パネルの外縁からはみ出ていれば、ＲＦＩＤタグとの通信が可能になるとの知見を得た。これらの知見に基づいて、本発明者らは本発明に想到した。
上記目的を達成するため、本発明は以下の解決手段を採用する。
【００１４】
第１の解決手段：本発明の一態様によれば、開口を有するハウジングと、前記ハウジング内に収容され、前記ハウジングの開口にて表出する表面及び当該表面とは反対側の背面を有する電子装置と、渦巻き形状の導体からなる少なくとも１つのアンテナとを備えるコンピュータにおいて、前記電子装置は、基板、及び、当該基板の全面に渡って形成された電極を含み、前記アンテナは、前記基板の厚さ方向でみて、前記電子装置の背面と当該背面に対向する前記ハウジングの壁との間に位置し、前記アンテナの一部は、前記基板の面内方向にて、前記基板の外縁よりも外側に位置していることを特徴とするコンピュータが提供される。
【００１５】
第１の解決手段のコンピュータによれば、アンテナの一部が電子機器の基板の外縁からはみ出ているため、アンテナが発生させた電磁波が外部機器に到達し、逆に外部機器が発生させた電磁波もアンテナに到達する。このため、アンテナと外部機器との間での通信が実現される。
一方、アンテナの一部以外は、電子機器の基板の外縁よりも内側にあってもよいので、アンテナを設けたとしても、コンピュータの大型化が抑制される。
なお、電子装置としては、例えば、タッチパッド入力装置や、液晶ディスプレーを用いることができる。
【００１６】
第２の解決手段：好ましくは、前記コンピュータは、相互に連結された本体と液晶ディスプレーとを有するラップトップ型であり、前記本体が有する前記ハウジングの内側には、電磁的なノイズを遮蔽するシールド部材が設けられ、前記シールド部材には、前記ハウジングの開口に連なる開口が形成され、前記電子装置は、前記シールド部材の開口にて表出する感知面を有するタッチパッド入力装置である。
【００１７】
第２の解決手段のコンピュータによれば、タッチパッド入力装置とアンテナが、平面でみたときに、シールド部材の一つの開口に配置されるので、シールド部材に形成される開口の数が減少させられる。このため、このコンピュータは、本体の内部と外部との間でのノイズの放射又は入射がシールド部材によって効率的に防止され、ＥＭＩ対策において優れている。
一方、このコンピュータにおいては、タッチパッド入力装置の大きさがアンテナの大きさによって制限されることはなく、アンテナの大きさによってタッチパッド入力装置の大きさが制限されることもない。このため、このコンピュータの設計の自由度は高く、仕様の異なるコンピュータ間においてアンテナの共通化も図られる。
【００１８】
第３の解決手段：好ましくは、前記タッチパッド入力装置の前記基板は矩形形状を有し、前記アンテナの各巻きは略矩形形状を有し、前記アンテナの各巻きにおいて１つの角にて相互に交わる２辺が、前記基板の外縁において１つの角にて相互に交わる２辺にそれぞれ沿いながら、前記基板の面内方向でみて、前記基板の外縁よりも外側に位置し、前記アンテナの各巻きにおいて前記１つの角の対角が、前記基板の面内方向でみて、前記基板の外縁よりも内側に位置している。
【００１９】
第３の解決手段のコンピュータにおいては、アンテナの各巻きの２辺が少なくともタッチパッド入力装置の基板の外縁からはみ出ているので、アンテナと外部装置との間の通信が安定して実現される。
一方、このコンピュータにおいては、アンテナの各巻きの２辺以外はタッチパッド入力装置の基板の外縁の内側にあってもよいので、大型化が確実に抑制される。
【００２０】
第４の解決手段：好ましくは、前記基板の外縁の４つの角に対応して４つの前記アンテナを有する。
第４の解決手段のタッチパッド入力装置によれば、４つのアンテナを協働させることによって、アンテナに比べてタッチパッド入力装置が大きくても、タッチパッド入力装置の中央付近でのアンテナの感度が確保される。
【００２１】
第５の解決手段：好ましくは、前記タッチパッド入力装置は、前記シールド部材の開口にて表出する感知面を有するフェイスシートと、前記感知面に沿って設けられ、静電容量を測定するための複数の測定領域を構成する電極群と、前記感知面とは反対側にて前記電極群に沿わされた接地電極を含む接地電極層とを有し、前記接地電極は複数の開口部を有する。
【００２２】
第５の解決手段のコンピュータによれば、アンテナが発生させた電磁波及び外部機器が発生させた電磁波の一部が、接地電極の開口部を通過する。このため、アンテナと外部機器との間での通信が安定する。
【発明の効果】
【００２３】
本発明のコンピュータによれば、アンテナの一部が電子機器の基板の外縁からはみ出ているため、アンテナが発生させた電磁波が外部機器に到達し、逆に外部機器が発生させた電磁波もアンテナに到達する。このため、アンテナと外部機器との間での通信が実現される。この結果として、本発明のコンピュータにあっては、アンテナを用いた通信によって、外部機器との連携が図られる。
一方、アンテナの一部以外は、電子機器の基板の外縁よりも内側にあってもよいので、アンテナを設けたとしても、このコンピュータはＥＭＩ対策に優れ、コンピュータ自体の大型化が抑制される。
【図面の簡単な説明】
【００２４】
【図１】第１実施形態のパーソナルコンピュータの外観を示す斜視図である。
【図２】図１のＩＩ−ＩＩ線に沿う概略的な部分断面図である。
【図３】図２のタッチパッド入力装置及びアンテナ用積層体の概略的な外観を示す斜視図である。
【図４】図３のタッチパッド入力装置及びアンテナ用積層体の分解斜視図である。
【図５】図４中の接地電極層の平面図である。
【図６】図４中のアンテナ層の平面図である。
【図７】図６のアンテナ層に図４の接地電極層を重ねて示す図である。
【図８】図７中のＶＩＩＩ―ＶＩＩＩ線の位置における図３のタッチパッド入力装置及びアンテナ用積層体の概略的な部分断面図である。
【図９】図１のパーソナルコンピュータにおける電気回路を概略的に示すブロック図である。
【図１０】図６のアンテナ層とともに、一点鎖線にて変形例のタッチパッド用積層体を示す平面図である。
【図１１】第２実施形態に係るアンテナ層とともに、一点鎖線にてタッチパッド用積層体を示す平面図である。
【図１２】第３実施形態のパーソナルコンピュータにおける、図１の領域ＸＩＩの一部を切り欠いて示す部分平面図である。
【図１３】液晶パネルの概略的な構成を説明するための図である。
【発明を実施するための形態】
【００２５】
以下、本発明の実施形態を図面に基づいて説明する。
〔第１実施形態〕
図１は、第１実施形態のタッチパッド入力装置１０を搭載したラップトップ型のパーソナルコンピュータ（電子機器）１１を示す。コンピュータ１１は本体１２及びディスプレー１４を有し、本体１２とディスプレー１４はヒンジを介して結合されている。ディスプレー１４は、通常平置きされる本体１２に重ね合わされた状態（閉状態）から、ヒンジを支点として回転させられることにより可逆的に、本体１２に対して立った状態（開状態）になる。
【００２６】
ディスプレー１４は、例えば樹脂製のディスプレーハウジング１６を有する。ディスプレーハウジング１６は、扁平な箱形状をなし、例えばＡ４用紙と略等しい大きさを有する。ディスプレーハウジング１６は、閉状態にあるときに本体１２と対向する面（内面）を有するけれども、ディスプレーハウジング１６の内面には、略全域に渡る開口が形成されている。ディスプレーハウジング１６の開口１６ａには、例えば液晶パネル１８が表出している。
【００２７】
本体１２は、扁平な箱形状の樹脂製のメインハウジング２０を有する。
閉状態のときにディスプレー１４と対向するメインハウジング２０の上壁には、液晶パネル１８に向かって見たとき奥側、則ちヒンジ側に開口２０ａが設けられ、この開口２０ａ内にキーボード２１が配置されている。なお、メインハウジング２０の上壁の大きさは、ディスプレーハウジング１６の内面と略同一である。
【００２８】
また、メインハウジング２０の上壁には、キーボード２１よりも手前の中央にも開口２０ｂが形成されている。この開口２０ｂには、タッチパッド入力装置のフェイスシート２２が表出している。
更に、メインハウジング２０の上壁には、開口２０ｂよりも手前に開口２０ｃが形成され、この開口２０ｃには、２つのボタン２４ａ，２４ｂがメインハウジング２０の幅方向に並んで表出している。
なお、メインハウジング２０の上壁における、開口２０ｂ，２０ｃの両側の領域はパームレストとして機能する。
【００２９】
図２は、図１中のＩＩ−ＩＩ線に沿う断面図であり、本体１２の部分的な断面を示す。
メインハウジング２０の内側には、金属製のシールド部材２６が設けられている。シールド部材２６は、メインハウジング２０よりも若干小さな略箱形状をなし、キーボード２１、フェイスシート２２及びボタン２４ａ，２４ｂが表出している領域を除き、メインハウジング２０によって略全域が覆われている。
【００３０】
シールド部材２６の上壁には、メインハウジング２０の開口２０ｂの位置に対応して、開口２６ａが形成されている。そして、シールド部材２６の内側には、開口２６ａに対応して、開口２６ａよりも若干大の底板２７が配置されている。底板２７ａは導電性を有し、底板２７ａとシールド部材２６の上壁との間は、例えば導電性を有する複数の接続部材２７ｂによって、機械的及び電気的に接続されている。
【００３１】
底板２７ａは、シールド部材２６の開口２６ａを塞ぐように配置されているが、底板２７ａは、シールド部材２６の上壁から離間している。このため、底板２７ａ及び接続部材２７ｂは、開口２６ａに連なる凹み２７を形成し、この凹み２７内に、アンテナ付タッチパッド入力装置１０は配置されている。
なお、接続部材２７ｂの数は、例えば４つである。
【００３２】
〔タッチパッド入力装置〕
タッチパッド入力装置１０は、適当なパターンの配線（図示せず）を有するプリント回路基板２８を有し、プリント回路基板２８は、図示しない支持部材によって、凹み２７内に固定されている。
【００３３】
プリント回路基板２８はメインハウジング２０の上壁と略平行に配置される。凹み２７の底面、即ち底板２７ａと対向するプリント回路基板２８の下面には、ＬＳＩチップ３０ａ，３０ｂ等の電気素子が実装されている。
開口２０ｂ側に位置するプリント回路基板の上面には、フェイスシート２２を含むタッチパッド用のタッチパッド用積層体３１が固定されている。
【００３４】
図３は、タッチパッド入力装置１０の概略的な外観を示す斜視図である。プリント回路基板２８は、タッチパッド用積層体３１と同等の四角形状を有し、プリント回路基板２８の一方の面にタッチパッド用積層体３１が固定されている。タッチパッド用積層体３１は、プリント回路基板２８の他方の面に実装された電気素子に接続される。
【００３５】
また、プリント回路基板２８に実装された電気素子は、入出力端子を介して、シールド部材２６の内部に配置されたマザー基板（図示せず）と接続される。
【００３６】
〔積層体〕
図４は、タッチパッド入力装置１０を分解して示す概略的な斜視図である。
タッチパッド用積層体３１は、プリント回路基板２８側から順に、接地電極層３２、Ｙ駆動電極層３３、Ｘ駆動電極層３４、及び、フェイスシート２２を有する。これら磁性層３８、アンテナ層３７、接地電極層３２、Ｙ駆動電極層３３、Ｘ駆動電極層３４、及び、フェイスシート２２は、接着剤などによって相互に密着している。
【００３７】
〔Ｙ駆動電極層〕
Ｙ駆動電極層３３は、略四角形のフィルム基板（Ｙ駆動電極用基板）３３ａと、フィルム基板３３ａに一体に形成された格子形状のＹ駆動電極３３ｂと、同じくフィルム基板３６ａに一体に形成された櫛形状の検出電極３３ｃとからなる。Ｙ駆動電極３３ｂ及び検出電極３６ｃは、相互に噛み合うように配置されながら、フィルム基板３３ａの一方の面の略全域に分布させられている。
具体的には、Ｙ駆動電極３３ｂは、互いに平行な複数の導電性の帯によって構成され、導電性の帯は、パーソナルコンピュータ１１の本体１２の奥行き方向にそれぞれ延び、パーソナルコンピュータ１１の本体１２の幅方向にて相互に一定間隔にて離間している。
【００３８】
検出電極３３ｃは、互いに平行な複数の導電性の帯と、これらの帯の一端を相互に連結する一つの導電性の帯によって構成されている。検出電極３３ｃの複数の導電性の帯は、Ｙ駆動電極３３ｂの複数の導電性の帯と同様に、パーソナルコンピュータ１１の本体１２の奥行き方向にそれぞれ延び、パーソナルコンピュータ１１の本体１２の幅方向にて相互に一定間隔にて離間している。そして、検出電極３３ｃの複数の導電性の帯は、Ｙ駆動電極３３ｂの複数の導電性の帯の間に配置されている。
【００３９】
〔Ｘ駆動電極層〕
Ｘ駆動電極層３４は、略四角形のフィルム基板（Ｘ駆動電極用基板）３４ａと、フィルム基板３４ａに一体に形成された格子形状のＸ駆動電極３４ｂとからなる。Ｘ駆動電極３４ｂは、フィルム基板３４ａの一方の面の略全域に分布させられている。具体的には、Ｘ駆動電極３４ｂは、互いに平行な複数の導電性の帯によって構成され、導電性の帯は、パーソナルコンピュータ１１の本体１２の幅方向にそれぞれ延び、パーソナルコンピュータ１１の本体１２の奥行き方向にて相互に一定間隔にて離間している。
【００４０】
〔接地電極層〕
接地電極層３２は、略四角形のフィルム基板（接地用基板）３２ａと、フィルム基板３２ａに一体に形成された接地電極３２ｂとからなる。
好ましくは、図５に示したように、接地電極３２ｂは、検出電極３３ｃ、Ｙ駆動電極３３ｂ、及び、Ｘ駆動電極３４ｂを合わせた網目形状を有する。すなわち、接地電極３２ｂは、検出電極３３ｃ及びＹ駆動電極３３ｂの複数の帯と同等の形状をそれぞれ有し、検出電極３３ｃ及びＹ駆動電極３３ｂの帯と同様に配列された複数の導電性の帯３５ａと、Ｘ駆動電極３８の複数の帯と同等の形状をそれぞれ有し、Ｘ駆動電極３４ｂの帯と同様に配列された複数の導電性の帯３５ｂとを含む。
【００４１】
帯３５ａ，３５ｂは、同一平面にあるため互いに一体に交差し、本体１２の奥行き方向及び幅方向に周期的に配列された複数の交差部３５ｃを形成している。そして、帯３５ａ，３５ｂ同士の隙間は、接地電極層３２において、導体が存在しない複数の四角形の窓（開口部）３５ｄを形成している。開口部３５ｄも、検出電極３３ｃ、Ｙ駆動電極３３ｂの帯及びＸ駆動電極３４ｂの帯の周期に合わせて、本体１２の奥行き方向及び幅方向に周期的に配列されている。
【００４２】
従って、検出電極３３ｃ、Ｙ駆動電極３３ｂ及びＸ駆動電極３４ｂは、積層方向で見たときに、網目形状をなすように相互に直交している。そして、接地電極３２ｂは、検出電極３３ｃ、Ｙ駆動電極３３ｂ及びＸ駆動電極３４ｂに重なっている。
本実施形態では、好ましい態様として、Ｘ駆動電極３４ｂが積層方向にて接地電極層３２に投影される領域、Ｙ駆動電極３３ｂが積層方向にて接地電極層３２に投影される領域、及び、検出電極３３ｃが積層方向にて接地電極層３４に投影される領域以外の領域に、開口部３５ｄが形成されている。
【００４３】
これら検出電極３３ｃ、Ｙ駆動電極３３ｂ及びＸ駆動電極３４ｂは、フェイスシート２２の表面に接触する指先等の物体の位置を検出するための電極群を構成している。
なお、フィルム基板３２ａ，３３ａ，３４ａ及びフェイスシート２２は、略同じ大きさを有し、４隅を揃えて相互に沿うように重ね合わされている。フィルム基板３２ａ，３３ａ，３４ａ及びフェイスシート２２の積層方向は、本体１２の厚さ方向（上下方向）に一致している。
【００４４】
〔アンテナ用積層体〕
そして、再び図２乃至図４を参照すると、プリント回路基板２８の下面には、電気素子を間に存して、アンテナ用積層体３６も例えば接着剤によって固定されている。
アンテナ用積層体３６は、図４に示したように、プリント回路基板２８側から順に、アンテナ層３７、磁性層３８、及び、金属層３９を含み、これらアンテナ層３７、磁性層３８、及び、金属層３９は、例えば接着剤によって相互に固定されている。
【００４５】
〔アンテナ層〕
アンテナ層３７は、好ましくは、略四角形のフィルム基板（アンテナ用基板）３７ａと、フィルム基板３７ａに一体に形成されたアンテナ３７ｂとからなる。なお、アンテナ用積層体３６は、少なくともアンテナ３７ｂを含んでいればよく、磁性層３８及び金属層３９を含むのが好ましい。
【００４６】
図６は、アンテナ層３７を示す平面図であり、アンテナ３７ｂは、所定のパターンにて延びる導体の帯からなる。導体の幅は、例えば、０．１ｍｍ以上１．００ｍｍ以下の範囲にある。アンテナ３７ｂは、好ましくは、フィルム基板３７ａの外縁に沿って渦巻き形状に延びる磁界結合型のループアンテナであり、ループアンテナの巻回数は好ましくは２回以上である。
なお、導体としては、アルミや銅等の金属を用いることができるが、ＩＴＯ（酸化インジウム錫）等の導電性の酸化物を用いてもよい。
【００４７】
図７は、アンテナ層３７とともに、接地電極層３２を１点鎖線にて示している。図７に示したように、平面図でみたとき、アンテナ３７ｂの各巻き（ターン）は略四角形状をなす。そして、フィルム基板３２ａ，３３ａ，３４ａの面内方向でみて、各巻き４０，４１の２辺４０ａ，４０ｂ，４１ａ，４１ｂが、タッチパッド用積層体３１のフィルム基板３２ａ，３３ａ，３４ａの外縁からはみ出ている。これらはみ出ている２辺４０ａ，４０ｂ，４１ａ，４１ｂは、それぞれ１つの角４０ｃ，４１ｃにおいて交わっており、フィルム基板３２ａ，３３ａ，３４ａにおいて１つの角にて相互に交わる２辺にそれぞれ沿っている。
【００４８】
そして、フィルム基板３２ａ，３３ａ，３４ａの外縁からはみ出ている角４０ｃ，４１ｃとは対角に位置する角４０ｄ，４１ｄは、フィルム基板３２ａ，３３ａ，３４ａの外縁よりも内側に位置している。好ましくは、２辺４０ａ，４０ｂ，４１ａ，４１ｂ以外のアンテナ３７ｂの部分は、実質的に全て若しくは大部分が、フィルム基板３２ａ，３３ａ，３４ａの外縁よりも内側に位置している。
【００４９】
その上で、好ましくは、フィルム基板３２ａ，３３ａ，３４ａの外縁よりも内側に位置しているアンテナ３７ｂの部分は、接地電極３２ｂの帯３５ａ，３５ｂを跨いで、複数の開口部３５ｄを通過するように延び、その大部分が開口部３５ｄを通過している。
すなわち、平面図でみたとき、アンテナ３７ｂの各巻き４０，４１の２辺４０ａ，４０ｂ，４１ａ，４１ｂが、タッチパッド用積層体３１のフィルム基板３２ａ，３３ａ，３４ａの外縁からはみ出し、且つ、フィルム基板３２ａ，３３ａ，３４ａの外縁よりも内側に位置しているアンテナ３７ｂの大部分が開口部３５ｄを通過するように、アンテナ３７ｂ及び接地電極３２ｂの各々の形状及び配置が決定されている。
【００５０】
ここで、図８に示したように、シールド部材２６の開口２６ａの形状は、アンテナ用積層体３６がタッチパッド用積層体３１の外縁からはみ出ているのに対応して、若干拡大されている。
【００５１】
図８は、図７中のＶＩＩＩ−ＶＩＩＩ線に沿う位置での、タッチパッド用積層体３１、プリント回路基板２８、及び、アンテナ用積層体３６の部分断面図である。図８に示すように、接地電極３２ｂの帯３５ａの断面は例えば四角形であり、接地電極３２ｂの帯３５ｂ、アンテナ３７ｂ、検出電極３３ｃ、Ｙ駆動電極３３ｂ及びＸ駆動電極３４ｂを構成する帯の断面も、例えば四角形である。これらの接地電極３２ｂの帯３５ａ，３５ｂや、アンテナ３７ｂ、検出電極３３ｃ、Ｙ駆動電極３３ｂ及びＸ駆動電極３４ｂの帯は、印刷技術を用いて形成することができる。
【００５２】
〔磁性層〕
磁性層３８は、例えば四角形の薄板形状を有する。磁性層３８の比透磁率（複素比透磁率）の実数部μ’は、シールド部材２６に比べて高く、好ましくは１０以上である。また、磁性層３８の厚さＴは、好ましくは０．５ｍｍ以下である。更に、磁性層３８は電気絶縁性を有する。
【００５３】
このような磁性層３８としては、センダストやパーマロイ等の軟磁性粉末が結着剤によって固められたものを用いることができる。
〔金属層〕
金属層３９は、例えば四角形の薄板形状を有する。金属層３９の材質は、例えばアルミニウムである。
なお、アンテナ用フィルム基板３７ａ、磁性層３８及び金属層３９は、略同じ大きさを有し、４隅を揃えて相互に沿うように重ね合わされている。アンテナ用フィルム基板３７ａ、磁性層３８及び金属層３９の積層方向は、本体１２の厚さ方向（上下方向）に一致している。
【００５４】
〔回路構成〕
図９は、タッチパッド入力装置１０を含む、パーソナルコンピュータ１１の概略的な電気回路を示すブロック図である。
パーソナルコンピュータ１１のマザー基板には、ＣＰＵ（中央演算装置）５０及びメモリ５２が実装されている。ＣＰＵ５０は、同じくマザー基板上に実装されたディスクコントローラ５４を介して、シールド部材２６の内部に配置されたハードディスク５６に接続されている。
【００５５】
パーソナルコンピュータ１１の電源が入れられると、ＣＰＵ５０は、ハードディスク５６に記憶されたＢＩＯＳ（ベーシックインプットアウトプットシステム）及びオペレーティングシステムを起動し、その後、操作者の指示に従って、アプリケーションソフトを実行する。
【００５６】
また、ＣＰＵ５０は、マザー基板に実装されたディスプレーコントローラ５８を介して、液晶パネル１８に接続され、液晶パネル１８は、ＢＩＯＳ、オペレーティングシステム及びアプリケーションソフトの入出力画面を表示する。
【００５７】
更に、ＣＰＵ５０は、マザー基板に実装されたキーボードコントローラ６０を介して、キーボード２１に接続され、操作者によるキーボード２１の各ボタンの押下に応じて、オペレーティングシステム又はアプリケーションソフト上での所定の動作を実行する。
【００５８】
その上で、ＣＰＵ５０は、マザー基板に実装されたタッチパッドコントローラ６２を介して、タッチパッド入力装置１０に接続されている。
具体的には、タッチパッド入力装置１０は、Ｘ駆動電極３４ｂ、検出電極３３ｃ、Ｙ駆動電極３３ｂ及び接地電極３２ｂに接続された位置検出回路６４を有する。位置検出回路６４は、Ｘ駆動電極３４ｂ、Ｙ駆動電極３３ｂおよび検出電極３２ｂに印加する電圧を走査しながら、Ｘ駆動電極３４ｂ及びＹ駆動電極３３ｂと検出電極３２ｂとの間の静電容量の変化を検出する。そして、位置検出回路６４は、静電容量の変化に基づいて、フェイスシート２２における指先等の接触位置を検出する。
【００５９】
なお、電圧を走査するとは、Ｘ駆動電極３４ｂ及びＹ駆動電極３３ｂの複数の導体の帯に順次電圧を印加することをいう。
従って、瞬間的にみれば、Ｘ駆動電極３４ｂ及びＹ駆動電極３３ｂの導体の帯のうち、電圧が印加された１つの導体の帯と検出電極３３ｃとが協働して１つの測定領域を構成する。
【００６０】
そして、より長い時間範囲でみれば、Ｘ駆動電極３４ｂ及びＹ駆動電極３３ｂの全ての導体の帯に電圧を順次印加することによって、複数の測定領域がフェイスシート２２に沿って分布させられていることになる。
なお、測定領域には、Ｘ駆動電極３４ｂ、Ｙ駆動電極３３ｂ、及び、検出電極３３ｃの導体の帯上に位置する感知面の領域も含まれる。
そして、位置検出回路６４によって検出された接触位置に関する信号は、インターフェース６６を介して、タッチパッドコントローラ６２に入力される。
【００６１】
本実施形態では、フェイスシート２２の全面が開口２０ｂにて表出し、位置検出回路６４は、フェイスシート２２の全面において、指先等の物体の接触位置を検出可能である。このため、本明細書では、フェイスシート２２の全面を感知面ともいう。
なお、位置検出回路６４及びインターフェース６６は、プリント回路基板に実装されたＬＳＩチップ３０ａ等の電気素子によって構成されているけれども、図４において、Ｘ駆動電極３４ｂ、Ｙ駆動電極３３ｂ、検出電極３３ｃ、及び接地電極３２ｂと位置検出回路６４とを接続する配線が省略されている。
【００６２】
ＣＰＵ５０は、フェイスシート２２における指先の接触位置の変化に応じて、オペレーティングシステムによって液晶パネル１８上に表示されるカーソルの位置を変化させる。
【００６３】
また、ボタン２４ａ，２４ｂもインターフェース６６及びタッチパッドコントローラ６２を介してＣＰＵ５０に接続され、例えば、一方のボタン２４ａの押下しながらフェイスシート２２上で指先の位置を変化させると、液晶パネル１８における所定の表示領域が選択され、強調表示される。また、ボタン２４ａを連続して２回押下すると、カーソルの位置に応じて選択された命令が実行される。更に、他方のボタン２４ｂを押下することにより、例えば、メニュー画面が表示される。
【００６４】
一方、図５も併せて参照すると、例えば、アンテナ３７ｂの外端は接地され、アンテナ３７ｂの内端は、キャパシタ（コンデンサ）６９を介して整合回路７０に接続されている。キャパシタ６９及び整合回路７０は、プリント回路基板２８に実装された、位置検出回路６４のための電気素子とは別のＬＳＩチップ３０ｂ等の電気素子等によって構成される。
なお、図４においては、アンテナ３７ｂとコンデンサ６９とを接続する配線が省略されている。
【００６５】
整合回路７０は、マザー基板にそれぞれ実装された送受信回路７２及び無線コントローラ７４を介してＣＰＵ５０に接続されている。ＣＰＵ５０は、例えば、常駐のアプリケーションソフトによって、無線コントローラ７４、送受信回路７２、整合回路７０及びアンテナ３７ｂを作動させ、連続的又は間欠的に外部との通信を行う。
なお、送受信回路７２は、マザー基板ではなく、タッチパッド入力装置１０のプリント回路基板２８に実装されていてもよい。
【００６６】
本実施形態では、アンテナ３７ｂは、ＲＦＩＤ（Ｒａｄｉｏ Ｆｒｅｑｕｅｎｃｙ Ｉｄｅｎｔｉｆｉｃａｔｉｏｎ）用の磁界型のループアンテナである。操作者がＲＦＩＤタグ（非接触ICカード）をフェイスシート２２上にかざすと、ＲＦＩＤタグとアンテナ３７ｂとの間で、例えば１３．５６ＭＨｚの周波数帯（短波：ＨＦ帯）による通信が行われる。
【００６７】
例えば、アンテナ３７ｂは、パーソナルコンピュータ１１の正当な使用権限を有するか否かを確認するためのＩＤ認証に用いられる。この場合、パーソナルコンピュータ１１の電源が投入されるとすぐに、無線コントローラ７４、送受信回路７２、整合回路７０及びアンテナ３７ｂに電力が供給され、ＩＤ認証のための通信が行われるように設定されるのが好ましい。
【００６８】
上述した第１実施形態のコンピュータ１１によれば、アンテナ３７ｂの一部がタッチパッド入力装置１０のフィルム基板３２ａ，３３ａ，３４ａの外縁からはみ出ているため、アンテナ３７ｂが発生させた電磁波が外部機器に到達し、逆に外部機器が発生させた電磁波もアンテナ３７ｂに到達する。このため、アンテナ３７ｂと外部機器としてのＲＦＩＤタグとの間での通信が実現される。
一方、アンテナ３７ｂの一部以外は、タッチパッド入力装置１０のフィルム基板３２ａ，３３ａ，３４ａの外縁よりも内側にあってもよいので、アンテナ３７ｂを設けたとしても、コンピュータ１１の大型化が抑制される。
【００６９】
上述した第１実施形態のコンピュータ１１によれば、タッチパッド入力装置１０とアンテナ３７ｂが、平面でみて、シールド部材２６の一つの開口２６ａに配置されるので、シールド部材２６に形成される開口の数が減少させられる。このため、このコンピュータ１１は、本体１２の内部と外部との間でのノイズの放射又は入射がシールド部材２６によって効率的に防止され、ＥＭＩ対策において優れている。
【００７０】
一方、このコンピュータ１１においては、タッチパッド入力装置１０の大きさがアンテナ３７ｂの大きさによって制限されることはなく、アンテナ３７ｂの大きさによってタッチパッド入力装置１０の大きさが制限されることもない。このため、このコンピュータ１１の設計の自由度は高く、仕様の異なるコンピュータにもアンテナ３７ｂを適用可能である。
【００７１】
上述した第１実施形態のコンピュータ１１によれば、アンテナ３７ｂの各巻き４０，４１の２辺４０ａ，４１ａ，４０ｂ，４１ｂが少なくともタッチパッド入力装置１０のフィルム基板３２ａ，３３ａ，３４ａの外縁からはみ出ているので、アンテナ３７ｂと外部装置との間の通信が安定して実現される。
一方、このコンピュータ１１においては、アンテナ３７ｂの各巻きの２辺４０ａ，４１ａ，４０ｂ，４１ｂ以外はタッチパッド入力装置１０のフィルム基板３２ａ，３３ａ，３４ａの外縁の内側にあってもよいので、大型化が確実に抑制される。
【００７２】
そして、上述した第１実施形態のコンピュータ１１によれば、好ましい態様として接地電極３２ｂに開口部３５ｄが設けられているので、アンテナ３７ｂが発生させた電磁波及び外部機器としてのＲＦＩＤタグが発生させた電磁波の一部が、接地電極３２ｂの開口部３５ｄを通過する。このため、アンテナ３７ｂと外部機器との間でのより安定した通信が実現される。
【００７３】
また、第１実施形態のコンピュータ１１によれば、好ましい態様として、フィルム基板３２ａ，３３ａ，３４ａの外縁の内側に位置するアンテナ３７ｂの一部が、Ｘ駆動電極層３４、Ｙ駆動電極層３３及び接地電極層３２の積層方向にて、Ｘ駆動電極３４ｂ、Ｙ駆動電極３３ｂおよび検出電極３３ｃの導電性の帯並びに接地電極３２ｂによって遮蔽されていない。
このため、アンテナ３７ｂと外部機器との間で、より安定な通信が実現される。
【００７４】
更に、第１実施形態のコンピュータ１１によれば、好ましい態様として、アンテナ３７ｂがアンテナ３７ｂ用のフィルム基板３７ａに密着して形成されているので、アンテナ３７ｂが確実に支持され、アンテナ３７ｂの変形が防止される。
【００７５】
また更に、第１実施形態のコンピュータ１１によれば、好ましい態様として磁性層３８が設けられ、アンテナ３７ｂで発生した磁束が磁性層３８の内部に導かれるので、シールド部材２６を通過する磁束の数が減少させられる。一方、磁性層３８は電気絶縁性を有するので、磁性層３８を磁束が通過しても、渦電流の発生が抑制される。
この結果として、このタッチパッド入力装置によれば、アンテナ３７ｂと外部機器との間で、より安定な通信が実現される。
【００７６】
また、第１実施形態のコンピュータ１１によれば、磁性層３８の厚さtが０．５ｍｍ以下であるため、磁性層３８を設けても、コンピュータ１１の大型化が防止される。
一方、磁性層３８の厚さｔが０．５ｍｍ以下であっても、透磁率の実数部μ’の値が１０以上であるため、磁束が磁性層３８の内部に導かれ、シールド部材２６を通過する磁束の数が確実に減少させられる。
この結果として、このコンピュータ１１によれば、アンテナ３７ｂと外部機器との間で、より安定な通信が実現される。
【００７７】
一方、第１実施形態のコンピュータ１１によれば、好ましい態様として金属層３９が設けられ、金属層３９で電磁波が反射又は吸収されるので、アンテナ３７ｂの感度に対する、シールド部材２６からの影響が軽減される。この結果として、このコンピュータ１１によれば、アンテナ３７ｂと外部機器との間で、より安定な通信が実現される。
【００７８】
本発明は、上述した第１実施形態に限定されず、種々の変更が可能である。
例えば、接地電極３２ｂ、検出電極３３ｃ、Ｙ駆動電極３３ｂ及びＸ駆動電極３４ｂは、別々のフィルム基板３２ａ，３３ａ，３４ａに形成されているが、これらを２つのフィルム基板の表裏に形成してもよい。あるいは、積層プリント回路基板を用いて、接地電極３２ｂ、検出電極３３ｃ、Ｙ駆動電極３３ｂ及びＸ駆動電極３４ｂを積層プリント回路基板に一体に形成してもよい。
つまり、接地層３２ｂ、Ｙ駆動電極層３３及びＸ駆動電極層３４は、少なくとも、接地電極３２ｂ、検出電極３３ｃ、Ｙ駆動電極３３ｂ及びＸ駆動電極３４ｂをそれぞれ含んでいればよく、接地電極３２ｂ、検出電極３３ｃ、Ｙ駆動電極３３ｂ及びＸ駆動電極３４ｂを支持する基板の構成は特に限定されない。
【００７９】
また、第１実施形態では、好ましい態様として、接地電極３２ｂが、検出電極３３ｃ、Ｙ駆動電極３３ｂとＸ駆動電極３４ｂとを合わせたような網目形状を有していたけれども、接地電極３２ｂの形状は網目形状に限定されることはない。例えば、接地電極３２ｂの形状は、平面形状であってもよい。
【００８０】
更に、第１実施形態では、指先等の接触位置は、直交座標にて検出されたけれども、極座標にて検出されるように電極群を構成しても良い。
また、アンテナ３７ｂの巻回数は２回に限定されることはない。
なお、アンテナ３７ｂは、断面が円形状若しくは楕円形状の導線を巻回して形成されていてもよく、フィルム基板３７ａを省略してプリント回路基板２８に直接固定されていてもよい。
【００８１】
一方、第１実施形態では、フェイスシート２２によって感知面が形成されていたけれども、フェイスシート２２を省略してＸ駆動電極層３４等によって感知面を形成してもよい。
【００８２】
また、第１実施形態では、磁性層３８は四角形状を有していたけれども、シールド部材２６を通過する磁束の数を減少させることができれば、他の形状を有していてもよい。例えば、磁性層３９は、アンテナ４０ｂに沿うようなロの字形状を有していてもよい。
【００８３】
更に、第１実施形態では、フェイスシート２２、Ｘ駆動電極層３４、Ｙ駆動電極層３３及び接地電極層３２からなるタッチパッド用積層体３１が矩形形状を有していたけれども、図１０に一点鎖線で示したように、楕円形状若しくは円形状のタッチパッド用積層体８０を用いてもよい。
【００８４】
ここで図１１は、第２実施形態に係るアンテナ層８２を示している。
アンテナ層８２は、フィルム基板８２ａと、フィルム基板８２ａに一体に形成された複数のアンテナ８２ｂ，８２ｃ，８２ｄ，８２ｅとを有する。各アンテナ８２ｂ，８２ｃ，８２ｄ，８２ｅは、それぞれ渦巻き形状の導体からなる。そして、これらアンテナ８２ｂ，８２ｃ，８２ｄ，８２ｅは、相互に電気的に接続されており、実質的に１つの磁界結合型のループアンテナを構成している。
【００８５】
このアンテナ層８２にあっては、４つのアンテナ８２ｂ，８２ｃ，８２ｄ，８２ｅが、タッチパッド用積層体３１の角に対応するように配置され、アンテナ８２ｂ，８２ｃ，８２ｄ，８２ｅの２辺が、タッチパッド用積層体３１の外縁からはみ出している。
このアンテナ層８２が適用されたコンピュータ１１では、４つのアンテナ８２ｂ，８２ｃ，８２ｄ，８２ｅを協働させることによって、１つのアンテナ３７ｂを用いた場合に比べて、タッチパッド入力装置１０の感知面が大きくても、タッチパッド入力装置１０の感知面の中央付近でのアンテナの感度が確保される。
【００８６】
また、アンテナ３７ｂを配置する領域は、凹み２７に限定されることはない。図１２は、図１の領域ＸＩＩを、ディスプレーハウジング１６の一部を部分的に切り欠いて示す図である。図１２では、第３実施形態として、アンテナ層３７が、液晶パネル１８の背面側に配置されている。この場合も、平面図でみて、アンテナ３７ｂの２辺が、液晶パネル１８の外縁からはみ出している。
【００８７】
ここで図１３は、液晶パネル１８の概略的な構成を示しており、液晶パネル１８も基板（ガラス基板）と、基板の全面に渡って形成された電極（画素電極）とを有する。なお、本発明において、電極が基板の全面に渡って形成されているという表現には、電極が、面状電極である場合のみならず、Ｘ駆動電極３４ｂやＹ駆動電極３３ｂのように、周期的に配列された複数の導体の要素によって構成されている場合も含まれる。
第３実施形態においても、アンテナ３７ｂの２辺が、液晶パネル１８の外縁からはみ出しているので、液晶パネル１８の表示面側の外部機器との通信が実現される。
【符号の説明】
【００８８】
１０    タッチパッド入力装置（電子装置）
１１    パーソナルコンピュータ（電子機器）
１２    本体
１４    ディスプレー（電子装置）
１８    液晶パネル
２０    メインハウジング
２０ｂ  開口
２１    キーボード
２２    フェイスシート（感知面）
２６    シールド部材
２６ａ  開口
２７    凹み
２７ａ  底板
２７ｂ  接続部材
２８    プリント回路基板
３２    接地電極層
３２ａ  フィルム基板
３２ｂ  接地電極
３３    Ｙ駆動電極層
３３ａ  フィルム基板
３３ｂ  Ｙ駆動電極（第２駆動電極，電極群）
３３ｃ  検出電極（電極群）
３４    Ｘ駆動電極層
３４ａ  フィルム基板
３４ｂ  Ｘ駆動電極（第１駆動電極，電極群）
３５ａ  接地電極の帯
３５ｂ  接地電極の帯
３５ｃ  交差部
３５ｄ  開口部
３７    アンテナ層
３７ａ  フィルム基板（アンテナ用基板）
３７ｂ  アンテナ
３８    磁性層（磁性部材）
３９    金属層
【図１】
2011004076.tif 000003
【図２】
2011004076.tif 000004
【図３】
2011004076.tif 000005
【図４】
2011004076.tif 000006
【図５】
2011004076.tif 000007
【図６】
2011004076.tif 000008
【図７】
2011004076.tif 000009
【図８】
2011004076.tif 000010
【図９】
2011004076.tif 000011
【図１０】
2011004076.tif 000012
【図１１】
2011004076.tif 000013
【図１２】
2011004076.tif 000014
【図１３】
2011004076.tif 000015